(57)【特許請求の範囲】
【請求項１】
内部に空間を有する石部材と、
前記石部材を上部から覆い且つ花立を挿入可能な挿入孔が設けられた板状部材と、
前記挿入孔に挿入され且つ前記空間と通気可能な通気部を有する花立と、
を有し、
前記石部材の内部の空間は土の地面に面しており、且つ前記石部材の内部の空間の全部又は一部が納骨スペースである墓。
【請求項２】
前記通気部は、通気口が設けられることにより通気可能に構成される、
請求項１に記載の墓。
【請求項３】
前記花立は、根付きの植物を供えるものであり、
前記通気部は、前記通気部から前記空間内の水分が前記根付きの植物の根に供給されるように構成される、
請求項１又は請求項２に記載の墓。
【発明の詳細な説明】
【技術分野】
【０００１】
本発明は、墓、花立及び墓前に供える根付きの植物のお供え方法に関する。
【背景技術】
【０００２】
従来から、墓の内部の湿度を低減させるための試みがなされている。これは、墓石が設置された地面の水分により墓の内部の湿度が高くなると、雑菌が繁殖するとともに、墓石が変色してしまうためである。また、墓石内部に生じる結露により、墓石が破損するという問題があった。
【０００３】
特許文献１には、納骨堂の湿度を抑えて結露を防ぎ、清潔で耐久性が高い墓石を提供することを課題とした墓石であって、地面に設置される根太石と、前記根太石の上に載置され内側の空間が納骨堂となりこの納骨堂に連通する開口部が側面に設けられた唐戸と、前記開口部の上縁部に連続し側方へ突出する板状のマグサと、前記開口部の略垂直な側縁部に沿って位置した一対の方立てが設けられ、前記マグサの上面から前記方立てに沿って下方に延出し前記根太石の下方の地面に連通する垂直水路と、前記垂直水路に連通され前記根太石と前記唐戸の境界部分を前記納骨堂に沿って一周する水平水路が設けられ、前記納骨堂内側面に付いた水分を前記水平水路及び垂直水路を経て排出可能としたことを特徴とする墓石が開示されている。
【先行技術文献】
【特許文献】
【０００４】
【特許文献１】特開２００９−８４９１６号公報
【発明の概要】
【発明が解決しようとする課題】
【０００５】
しかし、特許文献１に開示される墓石でも、墓の内部の湿度を完全に抑えこむことはできない。例えば、水平水路にゴミが溜まった場合などには、結露が生じる恐れがある。
【０００６】
本発明はこのような事情に鑑みてなされたものであり、従来常識とされてきた墓の内部の湿度を抑制することとは逆に、墓の内部の湿度を有効利用して根付きの植物をお供えする墓、花立及び根付きの植物のお供え方法を提供するものである。
【課題を解決するための手段】
【０００７】
本発明によれば、内部に空間を有する石部材と、前記石部材を上部から覆い且つ花立を挿入可能な挿入孔が設けられた板状部材と、前記挿入孔に挿入され且つ前記空間と通気可能な通気部を有する花立と、を有する墓が提供される。
【０００８】
本発明のポイントは、従来常識とされてきた墓の内部の湿度を抑制することとは逆に、墓の内部の湿度を有効利用するという、逆転の発想である。具体的には、墓の内部の湿度を利用して、根付きの植物をお供えするというものである。本発明では、内部に空間を有する石部材及び石部材を上部から覆い且つ花立を挿入可能な挿入孔が設けられた板状部材を有する墓と、挿入孔に挿入され且つ空間と通気可能な通気部を有する花立と、を組み合わせることにより、墓の内部の湿度を有効利用して根付きの植物をお供えすることが可能となった。これは、挿入孔に挿入された花立に根付きの植物を差し込むことにより、墓の内部の空間と通気可能な通気部を通って水分が根に供給されるためである。
【０００９】
そもそも、従来は、墓前に供える植物には切り花を用い、水の入った容器に入れることが常識であった。しかし、切り花では長持ちせず、数日で枯れてしまう。さらに、夏場であれば半日程度で水が蒸発することもあり、切り花が枯れるとともに容器内に残存した水が腐敗する。これにより、悪臭を放つとともに、ボウフラ等が繁殖してしまう。
【００１０】
そこで、本発明者は、従来の常識では抑制すべきものとされていた墓の内部の湿度を利用し、根付きの植物をお供えするという画期的なアイデアに到った次第である。
【００１１】
以下、本発明の種々の実施形態を例示する。以下に示す実施形態は互いに組み合わせ可能である。
好ましくは、前記通気部は、通気口が設けられることにより通気可能に構成される。
好ましくは、前記花立は、根付きの植物を供えるものであり、前記通気部は、前記通気部から前記空間内の水分が前記根付きの植物の根に供給されるように構成される。
好ましくは、前記石部材が載置される載置面は、土又はコンクリートである。
好ましくは、前記空間は、納骨スペースである。
好ましくは、内部に空間を有する部材であって、花立を挿入可能な挿入孔が上面に設けられた部材と、前記挿入孔に挿入され且つ前記空間と通気可能な通気部を有する花立と、
を有する墓が提供される。
好ましくは、内部に空間を有する部材と、前記部材を上部から覆い且つ花立を挿入可能な挿入孔が設けられた板状部材と、を有する物体の、前記挿入孔に挿入され且つ前記空間と通気可能な通気部を有する花立が提供される。
好ましくは、前記内部に空間を有する部材と前記板状部材が一体として構成される。
好ましくは、根付きの植物のお供え方法であって、墓の内部空間を構成する石部材を上部から覆い且つ花立を挿入可能な挿入孔が設けられた板状部材に、根付きの植物が挿入され且つ前記空間と通気可能な通気部を有する花立を挿入するステップを有する根付きの植物のお供え方法が提供される。
好ましくは、水分及び養分を含む保水部材で前記根付きの植物の根を被覆するステップを有する。
【図面の簡単な説明】
【００１２】
【図１】本発明の第１実施形態に係る墓１を表す図であり、（ａ）は正面図、（ｂ）は平面図、（ｃ）は墓１内部を表す平面図であり、（ｂ）から台石１５を取り除き、花立１４を省略した図である。
【図２】本発明の第１実施形態に係る花立１４の斜視図である。
【図３】本発明の第２実施形態に係る墓２を表す図であり、（ａ）は正面図、（ｂ）は平面図、（ｃ）は墓２内部を表す平面図であり、（ｂ）から台石２５を取り除き、花立２４を省略した図である。
【図４】本発明の第３実施形態に係る墓３を表す図であり、（ａ）は斜視図、（ｂ）は正面図、（ｃ）は平面図、（ｄ）は墓３内部を表す平面図であり、（ｃ）から天板３９を取り除き、花立３６ｂを省略した図である。
【図５】本発明の一実施形態に係る花立の変形例を示す図であり、（ａ）はメッシュ１、（ｂ）はメッシュ２、（ｃ）は穴型の花立である。それぞれの花立には根付きの植物が備えられる。
【図６】本発明の一実施形態に係る花立の６面図の第１の例である。
【図７】本発明の一実施形態に係る花立の６面図の第２の例である。
【図８】本発明の一実施形態に係る花立の６面図の第３の例である。
【図９】（ａ）は花立３６ｂを内部に空間を有する部材を上部から覆い且つ花立を挿入可能な挿入孔が設けられた板状部材に挿入した様子を表す正面図であり、（ｂ）は平面図である。
【発明を実施するための形態】
【００１３】
以下、本発明の実施形態について説明する。以下の実施形態は、例示であって、本発明の範囲は、以下の実施形態で示すものに限定されない。
【００１４】
＜第１実施形態＞
以下、図１及び図２を用いて本発明の第１実施形態に係る墓１について説明する。以下に示す実施形態中で示した各種特徴事項は、互いに組み合わせ可能である。また、各特徴事項について独立して発明が成立する。
【００１５】
図１は本発明の第１実施形態に係る墓１を表す図であり、（ａ）は正面図、（ｂ）は平面図、（ｃ）は墓１内部を表す平面図であり、（ｂ）から台石１５を取り除き、花立１４を省略した図である。図１（ａ）に示されるように、墓１は、竿石１１、上台１２、香炉１３、花立１４、台石１５、羽目１６、芝台１７及び納骨スペース１８により構成される。竿石１１は、埋葬した目印として建てる石の墓標である。上台１２は、竿石１１を支持する台である。香炉１３は、線香立てやろうそく立ての設置場所である。花立１４は、植物を供える入れ物である。第１実施形態では、花立１４に供える花として根付きの花を用いる。台石１５は、納骨スペース１８を上部から覆い且つ花立１４を挿入可能な挿入孔（図示せず）が設けられた板状部材である。羽目１６は、内部に空間を有する石部材である。第１実施形態では、かかる空間の全部又は一部が納骨スペース１８となっている。芝台１７は、羽目１６を支持する台である。図１（ｃ）に示されるように、図１（ｂ）において台石１５を取り除くと、羽目１６内に納骨スペース１８が形成されている。そして、納骨スペース１８の周囲には載置面１００が存在する。第１実施形態では、土の地面に墓１を載置する例について説明する。したがって、載置面１００は、土の地面を表す。
【００１６】
花立１４は、台石１５上面に２つ設けられた挿入孔にそれぞれ挿入される。ここで、図１（ａ）中の破線（小）で表された箇所は、花立１４の形状を示す仮想的な線である。また、破線（大）で表された箇所は、羽目１６内部の納骨スペース１８の境界を示す仮想的な線である。
【００１７】
図２に示されるように、花立１４は、根付きの花を差し込む差込口５１と、気体を通気可能な通気部５２と、を有する。差込口５１は、根付きの花を差し込むことが可能であればその大きさ及び形状は任意である。通気部５２は、気体を通気可能に構成されればよく、例えば、外部を針金で構成し、そこにメッシュ状の部材を取り付けることで実現される。
【００１８】
第１実施形態では、花立１４の通気部５２を台石１５の挿入孔から挿入し、差込口５１から根付きの植物を差し込む。これにより、納骨スペース１８の周囲に存在する載置面１００から発生する水分が通気部５２を通って植物の根に供給される。換言すると、墓の内部の湿度を有効利用して根付きの植物をお供えするものである。かかる構成及び方法により、墓に供える植物を長期にわたって安定させることが可能となる。さらに、載置面１００として土の地面を選択しているので、載置面１００がコンクリートの場合と比較して墓内部の湿度が高くなり、植物の維持に好ましい。従来では墓内部の湿度を抑制するために載置面１００をコンクリートとすることが多かったが、第１実施形態ではあえて土の地面を選択することにより、墓内部の湿度を高めることに成功した。なお、墓１を設置する場所の気候特性に応じて、載置面１００をコンクリートとしてもよい。これは、湿度が所定の値を上回ると、墓１を構成する石を痛める可能性があるためである。
【００１９】
＜第２実施形態＞
次に、本発明の第２実施形態に係る墓２について、図３を用いて説明する。図３は本発明の第２実施形態に係る墓２を表す図であり、（ａ）は正面図、（ｂ）は平面図、（ｃ）は墓２内部を表す平面図であり、（ｂ）から台石２５を取り除き、花立２４を省略した図である。図２（ａ）に示されるように、墓２は、竿石２１、上台２２、香炉２３、花立２４、台石２５、羽目２６、芝台２７及び納骨スペース２８により構成される。これらの構成要素は、図１に示される第１実施形態に係る墓１の構成要素とそれぞれ同じ機能を有し、符号の１の位が同じ構成要素同士がそれぞれ対応するため、その説明を省略する。
【００２０】
第２実施形態においても、花立２４の大きさ及び形状は任意であり、羽目２６内の空間と連通し且つ通気部を備える構成であればよい。
【００２１】
このように、第１実施形態及び第２実施形態では、それぞれ墓１及び墓２の形状が異なるが、内部に空間を有する石部材と、前記石部材を上部から覆い且つ花立を挿入可能な挿入孔（図示せず）が設けられた板状部材と、前記挿入孔に挿入され且つ通気可能な通気部を有する花立と、を有する墓であれば本発明の効果を奏することができる。
【００２２】
＜第３実施形態＞
次に、本発明の第３実施形態に係る墓３について、図４を用いて説明する。図４は本発明の第３実施形態に係る墓３を表す図であり、（ａ）は斜視図、（ｂ）は正面図、（ｃ）は平面図、（ｄ）は墓３内部を表す平面図であり、（ｃ）から天板３９を取り除き、花立３６ｂを省略した図である。図３（ａ）及び（ｂ）に示されるように、墓３は、竿石３１、上台３２、中台３３、四ツ石３４、香炉３５、花立３６ａ及び３６ｂ、水鉢３７、供台３８及び天板３９により構成される。墓３では、竿石３１の下部に納骨スペースが形成される（図示せず）。そして、香炉３５をどかし、遺骨を納骨スペースに収納する。供台３８は、内部に空間を有する石部材であり、例えば羽目板により構成される。第３実施形態では、第１実施形態及び第２実施形態における上台１２及び上台２２に代えて、上台３２、中台３３及び四ツ石３４により竿石３１が支持される。また、供台３８が上台３２、中台３３及び四ツ石３４の前方に設置される。また、図４（ｄ）に示されるように、第３実施形態に係る墓３では、供台３８の内部の空間に載置面１００が位置する。供台３８は、墓３を建造した後、追加的に設置することができる。
【００２３】
第３実施形態に係る墓３では、供台３８が内部に空間を有する石部材に相当し、天板３９が部材を上部から覆い且つ花立を挿入可能な挿入孔（図示せず）が設けられた板状部材に相当し、花立３６ｂが挿入孔に挿入され且つ空間と通気可能な通気部を有する花立に相当する。そして、花立３６ｂを天板３９に設けられた挿入孔に挿入し、花立３６ｂの差込口５１から根付きの植物を差し込むことにより、載置面１００から生じる水分を通気部５２を通って根付きの植物に供給することが可能となる。
【００２４】
なお、第３実施形態では、供台３８の上部に位置する天板３９に挿入孔を設け、かかる挿入孔に花立３６ｂを挿入する形態としたが、本発明はこれに限定されない。例えば、供台３８の前方にさらに別の供台（内部に空間を有する石部材）を設置し、この供台の上部を覆う板状部材に挿入孔を設け、かかる挿入孔に花立３６ｂを挿入することとしてもよい。換言すると、既存の墓に事後的に供台を追加し、かかる供台に根付きの植物を供えることができる。
【００２５】
＜花立の変形例＞
次に、図５を用いて花立の変形例について説明する。図５は本発明の一実施形態に係る花立の変形例を示す図であり、（ａ）はメッシュ１、（ｂ）はメッシュ２、（ｃ）は穴型の花立である。それぞれの花立には根付きの植物が供えられる。図５に示されるように、花立の差込口５１から根付きの植物が差し込まれ、その根の全部又は一部が通気部５２に到達するように調整される。ここで、水分及び養分を含む保水部材（図示せず）で根付きの植物の根を被覆してもよい。保水部材としては、任意のものを利用することができ、例えば、水分及び養分を含ませたガーゼを利用することができる。また、差込口５１の大きさ及び形状は任意である。例えば、平面視において円形、楕円形、多角形、星形等の形状を採用することができる。さらに、通気部５２の大きさ及び形状も任意である。したがって、図５（ａ）〜（ｃ）に示される以外にも、例えば、綿や麻等の植物繊維を用いることができる。また、身近な例で言えば、ストッキングを被せて通気部５２とすることもできる。
【００２６】
＜花立の６面図＞
次に、図６〜図８を用いて、一実施形態に係る花立の６面図について説明する。図６は、本発明の一実施形態に係る花立の６面図の第１の例である。図７は、本発明の一実施形態に係る花立の６面図の第２の例である。図８は、本発明の一実施形態に係る花立の６面図の第３の例である。図６〜図８には、花立の正面図、左側面図、右側面図、平面図、底面図及び背面図がそれぞれ示されている。
【００２７】
＜花立の他の利用形態＞
図９は、花立の他の利用形態について説明するための図である。図９（ａ）は花立３６ｂを内部に空間を有する部材を上部から覆い且つ花立を挿入可能な挿入孔が設けられた板状部材に挿入した様子を表す正面図であり、（ｂ）は平面図である。第３実施形態と同様に、内部に空間を有する部材と、部材を上部から覆い且つ花立を挿入可能な挿入孔が設けられた板状部材と、挿入孔に挿入され且つ空間と通気可能な通気部を有する花立と、を準備することにより、お墓以外の用途にも利用できる。
【００２８】
以上、種々の実施形態について説明したが、本発明はこれらに限定されない。墓の形状は任意であり、種々の形状の墓に本発明を適用することができる。また、納骨室の内部の空間を利用する以外にも、内部に空間を有する石部材であれば任意の空間を利用することができる。また、台石に挿入孔を設けることに代えて、内部に空間を有する石部材の上部を覆う板状部材に挿入孔を設けてもよい。また、内部に空間を有する石部材と、石部材を上部から覆い且つ花立を挿入可能な挿入孔が設けられた板状部材と、を一体として形成することもできる。この場合、本発明の一実施形態に係る墓は、内部に空間を有する部材であって、花立を挿入可能な挿入孔が上面に設けられた部材と、前記挿入孔に挿入され且つ前記空間と通気可能な通気部を有する花立と、を有する墓と表現できる。また、花立は通気性を有する通気部を備える限り、任意のものを利用することができる。さらに、花立を挿入する挿入孔の数は適宜変更することができる。上記の説明では花立を２つ用いる形態について説明したが、花立の数は１、２、３、４、５、６、７、８、９、１０としてもよい。なお、必要に応じて、１１個以上の花立を利用してもよい。また、花立は、素焼鉢、駄温鉢、軽量樹脂鉢、陶器鉢、繊維強化プラスチック鉢を利用してもよい。また、お墓以外にも、店舗の前、レストランの前等にも利用可能である。この場合には、部材は石に限定されない。例えば、プラスチック、樹脂、木材、鉄板等を用いて内部に空間を有する部材と、部材を上部から覆い且つ花立を挿入可能な挿入孔が設けられた板状部材と、を構成することができる。
【符号の説明】
【００２９】
１（２、３）：墓、１１（２１、３１）：竿石、１２（２２、３２）：上台、１３（２３、３５）：香炉、１４（２４、３６）：花立、１５（２５）：台石、１６（２６）：羽目、１７（２７）：芝台、１８（２８）：納骨スペース、３３：中台、３４：四ツ石、３７：水鉢、３８：供台、３９：天板、５１：差込口、５２：通気部、１００：載置面
【図１】
0006692090.tif 000002
【図２】
0006692090.tif 000003
【図３】
0006692090.tif 000004
【図４】
0006692090.tif 000005
【図５】
0006692090.tif 000006
【図６】
0006692090.tif 000007
【図７】
0006692090.tif 000008
【図８】
0006692090.tif 000009
【図９】
0006692090.tif 000010